(57)【要約】      （修正有）【課題】一枚の段ボールを折りたたむだけで、容積の大きな蓋付きの箱が簡便に組み上がり、しかも、簡便に段ボール状態へ戻せる構造の折りたたみ箱を提供する。【解決手段】この蓋付きの折りたたみ箱は、糊付けを行わずに一枚の段ボール２１を折り上げて作るようにしたもので、左右側壁は底片１の左右に切れ目ａを介して形成した左右側壁片５ａを折り目Ｈと折り目Ｊを折り曲げて外側へ起こして左右端にそれぞれ立設している。そして、前側壁３は底片１に連接された外壁片３ａと内壁片３ｂを中央の二重折り目Ｅから折り曲げて立設し、内壁片３ｂに連接された上底片２ａを底片１に重ねている。また、後側壁は底片１の外壁片３ａと対向する側に連接された後側壁片６ａと上底片２ａに連接された内壁片７ａとを重ねて立設している。蓋は後側壁片６ａに連接され前側壁３の嵌合穴に差し込む差込片８が付設されている。【選択図】図２
0003190904.tif 000002
【実用新案登録請求の範囲】
【請求項１】
一枚の段ボールを折り上げて作る蓋付きの折りたたみ箱において、左右側壁は底片の左右に切れ目ａを介して形成した左右側壁片を折り目Ｈと折り目Ｊを折り曲げて外側へ起こして左右端にそれぞれ立設し、前側壁は該底片に連接された外壁片と内壁片を中央の二重折り目から折り曲げて立設し、該内壁片に連接された上底片を該底片に重ね、後側壁は該底片の該外壁片と対向する側に連接された後側壁片と該上底片に連接された内壁片とを重ねて立設し、蓋は該後側壁片に連接され前側壁上端に設けた嵌合穴に差し込まれる差込片が付設されたことを特徴とする折りたたみ箱。
【請求項２】
前記上底片の左右側端に内壁片１１ａを連接し、前記左右側壁の内側に重ねて立設させたことを特徴とする請求項１記載の折りたたみ箱。
【請求項３】
前記左右側壁片にフラップ片１２ａを連接し左右側壁の頂部から内側へフラップを形成したことを特徴とする請求項２に記載の折りたたみ箱。
【考案の詳細な説明】
【技術分野】
【０００１】
本考案は一枚の段ボールから折り上げる蓋付きの折りたたみ箱に関する。
【背景技術】
【０００２】
蓋付きの折りたたみ箱は、一枚の段ボールの何れかの壁片に糊代を設けて固着して組み上げるようにしたものが一般的で、予め糊付けして折りたたんで保管し、使用時に立体的に組み上げて使用している。しかし、この貼着作業は別の作業場で行わなければならず、時間もかかるので、無くしたいという要望がある。
そこで、糊付けなどの固着手段を必要とせずに、一枚の段ボールから折りたたみ操作のみで組み上げることができる蓋付きの折りたたみ箱が開発されている（特許文献１参照）。
【０００３】
特許文献１の折りたたみ箱は、一枚の段ボールから折り上げられ、左右側壁は一重の壁で底面から切り起こして立設され、底面に順次連接された前壁片と底片を折り込み、底面の対向する側に蓋片を連接している。また、該後側壁の内壁片と該左右側壁の端に互いに係合する切り込みを設けて内壁片を位置決めしている。
【先行技術文献】
【特許文献】
【０００４】
【特許文献１】特許２７１６６８５
【考案の開示】
【考案が解決しようとする課題】
【０００５】
特許文献の折りたたみ箱は、一枚の段ボールを折りたたむことにより貼着手段を必要とせずに蓋付きの箱を簡便に完成させることができる。
しかしながら、この折りたたみ箱は、左右の側壁が底片の側端から内側へ凹ませて、張出部を形成させて立設させているので、段ボールの大きさに比べて箱の容積が小さく、組み上げにも手数がかかる。また、後側壁の内壁片と左右側壁の端に互いに係合する切り込みを設けており、再利用や長期保存などで、結合を解いて一枚の段ボールにする場合、切り込み部が破損し易い。
【０００６】
そこで、本考案は、一枚の段ボールを折りたたむだけで、容積の大きな蓋付きの箱が簡便に組み上がり、しかも、簡便に段ボール状態へ戻せる構造の折りたたみ箱を提供することを目的としている。
【課題を解決するための手段】
【０００７】
上記の目的を達成するため、本考案の折りたたみ箱は、次のように構成した。
すなわち、一枚の段ボールを折り上げて作る蓋付きの折りたたみ箱において、左右側壁は底片の左右に切れ目ａを介して形成した左右側壁片を折り目Ｈと折り目Ｊを折り曲げて外側へ起こして左右端にそれぞれ立設し、前側壁は該底片に連接された外壁片と内壁片を中央の二重折り目から折り曲げて立設し、該内壁片に連接された上底片を該底片に重ね、後側壁は該底片の該外壁片と対向する側に連接された後側壁片と該上底片に連接された内壁片とを重ねて立設し、蓋は該後側壁片に連接され前側壁上端に設けた嵌合穴に差し込まれる差込片が付設されたことを特徴としている。
【０００８】
この明細書においては、左右および前後は、折りたたみ箱を蓋が後ろから前方へ折り曲げて閉鎖するように置いたときの状態でのことを意味する。
この蓋付きの折りたたみ箱は、左右の側壁を底片から切り起こして側端に立設し、切欠部のある底片の上に前側壁に連接した上底片を重ねて底面を形成している。
【０００９】
底面は、左右側壁との間に僅かに隙間が形成されるが、これを塞ぎたい場合は、請求項２に記載のように、底面に連なり左右側壁の内側に重ねて立設される内壁片１１を上底片の左右側端に連接するとよい。
また、左右側壁の上端にフラップを設けたい場合は、請求項３に記載のように、左右の側壁片にフラップ片１２ａを連接するとよい。
また、蓋は、前側壁上端の嵌合穴に差込片を差し込んで閉鎖するが、差込片の位置や個数については、折りたたみ箱の大きさや収納するものに応じて適宜決めればよい。
【考案の効果】
【００１０】
本考案の蓋付きの折りたたみ箱は、底片の左右に切れ目ａを介して形成した左右側壁片を折り目Ｈと折り目Ｊを折り曲げて外側へ起こして左右端に左右側壁を立設し、前側壁は該底片に連接された外壁片と内壁片を中央の二重折り目から折り曲げて立設し、該内壁片に連接された上底片を該底片に重ね、後側壁は該底片の該外壁片と対向する側に連接された後側壁片と該上底片に連接された内壁片とを重ねて立設し、蓋は該後側壁片に連接したので、貼着せずに折り曲げだけで容積の大きな蓋付きの箱を簡便に作ることができる。また、組み立てた折りたたみ箱は、簡便に折りたたみ前の段ボールへ戻すことができる。
【図面の簡単な説明】
【００１１】
【図１】本考案の折りたたみ箱１０Ａの実施の形態を示す全体斜視図である。
【図２】同上、折りたたみ箱１０Ａの展開図で、段ボール２１である。
【図３】同上、図２の段ボール２１を折りたたんで折りたたみ箱１０Ａを組み立てる途中の状態を示す斜視図である。
【図４】同上、組み立てる途中の状態を底裏から見たときの斜視図である。
【図５】同上、別の実施の形態である折りたたみ箱１０Ｂの展開図で段ボール２２である。
【図６】同上、図５の段ボール２２を折りたたんで折りたたみ箱１０Ｂを組み立てる途中の状態を示す斜視図である。
【図７】同上、別の実施の形態である折りたたみ箱１０Ｃの展開図で段ボール２３である。
【図８】同上、図７の段ボール２３を折りたたんで折りたたみ箱１０Ｃを組み立てる途中の状態を示す斜視図である。
【考案を実施するための最良の形態】
【００１２】
本考案の折りたたみ箱の実施の形態を、図１〜図４に基づいて説明する。
図１は、折りたたみ箱１０Ａの全体を示す斜視図であり、図２は、図１の展開図である。図３および図４は、折りたたみ箱１０Ａを折りあげる途中の状態を示す斜視図である。
【００１３】
折りたたみ箱１０Ａは、図１に示すように、底面２と、底面２の左右端に立設された左右側壁５と、前側壁３と、後側壁６とで上部が開放された直方のトレー状に形成され、後側壁６側に連接された上部を覆う蓋４が設けられている。
左右側壁５は、一枚の壁で底面２の左右端にそれぞれ垂直に立設し、前側壁３は、二重壁で上端縁中央には、蓋４の差込片８が係合する嵌合穴９が設けられている。
また、後側壁６は一枚の壁で底面２から立設されているが、蓋４が閉じられた状態では２重壁となる。
【００１４】
この折りたたみ箱１０Ａは、折り目や切れ目が形成された図２に示す一枚の段ボール２１を、折り目に沿って折り曲げることによって、組み立てられる。
段ボール２１は、一辺が長い矩形状であり、並行な折り目Ｂ、Ｃ、Ｄ、Ｆ、Ｇと二重折り目Ｅによって、蓋片４ａと、後側壁片６ａと、底片１と、外壁片３ａと、内壁片３ｂと、上底片２ａと、内壁片７ａとに分けられている。また、蓋片４ａには差込片８が折り目Ａを介して付設されている。
【００１５】
そして、底片１と外壁片３ａおよび後側壁片６ａの両側には切れ目ａと折り目Ｊによって、左右側壁片５ａがそれぞれ形成され、左右側壁片５ａには折り目Ｃと折り目Ｄの延長線上に折り目Ｈが左右端まで設けられている。
切れ目ａは、底片１から外壁片３ａおよび後側壁片６ａにわたって形成されており、底片１では段ボール２１の長手方向に水平に形成され、外壁片３ａおよび後側壁片６ａへは４５度外側へ傾斜させて、それぞれ中程まで形成されている。また、折り目Ｊは切れ目ａの終端から左右側壁片５ａの外端線まで９０度で形成され、その先端は折り目Ｈの先端と一致している。
【００１６】
次に、図２の段ボール２１を折りたたんで、図１の折りたたみ箱１０Ａへ組み上げる作業について説明する。
まず、差込片８の折り目Ａ、蓋片４ａの折り目Ｂ、後側壁片６ａの折り目Ｃ、底片１の折り目Ｄ、外壁片３ａの二重折り目Ｅを紙面手前側へ折り曲げて、折り癖を付ける。また、内壁片３ｂの折り目Ｆと上底片２ａの折り目Ｇを紙面裏側へ折り曲げ、さらに、左右側壁片５ａの折り目Ｈと折り目Ｊを紙面裏側へ折り曲げて折り癖をつける。
【００１７】
組立ては、図３および図４に途中の状態を示すように、蓋片４ａと上底片２ａを持って、まず、折り目Ｃと折り目Ｄを折り曲げる。これにより、折り目Ｈと折り目Ｊも折れ曲がって、後側壁片６ａと外壁片３ａが立ち上がるとともに、左右の左右側壁片５ａが立ち上がる。
次いで、二重折り目Ｅと折り目Ｆ、Ｇを折り曲げて上底片２ａが左右側壁片５ａの内側へ底片１の上に重なるように押し込む。これにより、二重壁の前側壁３が形成されるとともに、後側壁６の内側に重なって内壁７が立設され、図１の状態になる。
図４は、上底片２ａが底片１の上に押し込まれるときの状態を底片１の裏面側から見た斜視図で、底片１に左右側壁片５ａの部分が切り欠かれた状態が示されている。
【００１８】
一方、図１の状態の折りたたみ箱１０Ａを、元の段ボール２１の状態に戻す場合は、一方の手で蓋４を持って、他方の手で内壁７を上方へ引き上げて、前後方向に引っ張るだけでよい。これにより、ほぼ、段ボール２１の状態になる。
【００１９】
次に、請求項２の考案の実施の形態である折りたたみ箱１０Ｂを、図５および図６に基づいて説明する。
折りたたみ箱１０Ｂは、折り目や切れ目が形成された図５に示す一枚の段ボール２２を、折り目に沿って折り曲げることによって、組み立てられる。なお、折りたたみ箱１０Ｂの組み上がった状態の全体斜視図は、図１と殆ど変わらないので省略する。
【００２０】
折りたたみ箱１０Ｂが上記の折りたたみ箱１０Ａと相違する点は、左右側壁５の内側に底面２から立設した内壁片１１ａを備えたことである。
段ボール２２は、段ボール２１と同じく、折り目Ａ、Ｂ、Ｃ、Ｄ、Ｆ、Ｇ、Ｈ、Ｊ、二重折り目Ｅ、切れ目ａ、ｂが形成されており、これに、上底片２ａの左右に折り目Ｋを介して内壁片１１ａが連接されている。
折りたたみ箱１０Ｂの組立は、上記の折りたたみ箱１０Ａと殆ど同じであるが、内壁片１１ａは、折り目Ｋを紙面裏側へ折り曲げて折り癖をつけて、折りたたむ点が異なる（図６参照）。
【００２１】
次に、請求項３の考案の実施の形態である折りたたみ箱１０Ｃを、図７および図８に基づいて説明する。折りたたみ箱１０Ｃは、折り目や切れ目が形成された図７に示した一枚の段ボール２３を、折り目に沿って折り曲げることによって、組み立てられる。なお、折りたたみ箱１０Ｃの組み上がった状態の全体斜視図は、上記と同様省略する。
【００２２】
折りたたみ箱１０Ｃが上記の折りたたみ箱１０Ｂと相違する点は、左右側壁５の上端にフラップ１２が付設されていることである。
段ボール２３は、段ボール２２と同じく、折り目Ａ、Ｂ、Ｃ、Ｄ、Ｆ、Ｇ、Ｈ、Ｊ、Ｋ、二重折り目Ｅ、切れ目ｂが形成されており、上記の切れ目ａに変えて、より内側寄りの切れ目ｄを設け、左右側壁片５ａに折り目Ｌを介してフラップ片１２ａが連接されている。
折りたたみ箱１０Ｃの組立は、上記の折りたたみ箱１０Ｂと殆ど同じであり、図８の組み上げる途中の状態図で理解できると思われるので、省略する。
【符号の説明】
【００２３】
Ａ、Ｂ、Ｃ、Ｄ  折り目
Ｅ  二重折り目
Ｆ、Ｇ、Ｈ  折り目
Ｊ、Ｋ、Ｌ  折り目
ａ、ｂ、ｄ  切れ目
１０Ａ、１０Ｂ、１０Ｃ  折りたたみ箱
２１、２２、２３  段ボール
１  底片
２  底面
２ａ  上底片
３  前側壁
３ａ  外壁片
３ｂ  内壁片
４  蓋
４ａ  蓋片
５  左右側壁
５ａ  左右側壁片
６  後側壁
６ａ  後側壁片
７  内壁
７ａ  内壁片
８  差込片
１１  内壁
１１ａ  内壁片
１２  フラップ
１２ａ  フラップ片
【図１】
0003190904.tif 000003
【図２】
0003190904.tif 000004
【図３】
0003190904.tif 000005
【図４】
0003190904.tif 000006
【図５】
0003190904.tif 000007
【図６】
0003190904.tif 000008
【図７】
0003190904.tif 000009
【図８】
0003190904.tif 000010